(57)【要約】【課題】ＥＳＤによる画像信号の劣化を簡単な構成で抑制する。【解決手段】原稿送りユニット２０３が、画像読取ユニット２０２の底部材２５２上に固定された開閉機構２０４により開閉自在に支持されている。画像読取ユニット２０２のイメージセンサ基板２５４と画像形成ユニット２０１の画像処理基板２４０とがケーブル２６０により接続されている。導電性の接続部２８０が、画像読取ユニット２０２の底部材２５２と画像形成ユニット２０１の筐体２１０とを電気的に導通させ、ケーブル２６０に沿って配置されている。底部材２５２には切欠２５３が形成されており、切欠２５３を跨ぐように接続部２８０が底部材２５２に固定されており、これにより形成された開口部２８１を、ケーブル２６０が底部材２５２の上下方向に通過するよう配置されている。【選択図】図２
2015036235.tif 000002
【特許請求の範囲】
【請求項１】
導電性の底部材、前記底部材の上方に配置された原稿台、及び前記底部材と前記原稿台との間に配置され、前記原稿台上の原稿に対して走査して原稿画像を読み取る画像読取部を有する画像読取ユニットと、
導電性の筐体、前記画像読取部にケーブルで接続され、前記画像読取部から前記ケーブルを介して画像信号を取得して画像処理する画像処理部、及び前記筐体の内部に配置され、前記画像処理部による画像処理結果に基づき、シートに画像を形成する画像形成部を有し、前記画像読取ユニットの下方に配置された画像形成ユニットと、
前記原稿台に対して開閉される開閉部材と、
前記底部材に固定され、前記開閉部材を開閉自在に支持する導電性の開閉機構と、
前記底部材と前記筐体とを電気的に導通させる導電性の接続部と、を備え、
前記ケーブルは、前記導電性の接続部と前記底部材により囲まれた第１開口部を上下方向に通過していることを特徴とする画像形成装置。
【請求項２】
前記開閉部材が、前記原稿台に原稿を送る原稿送りユニットであることを特徴とする請求項１に記載の画像形成装置。
【請求項３】
前記接続部は、前記底部材とは別部材で形成され、
前記底部材には、前記ケーブルを通過させる切欠が形成されており、
前記接続部が前記底部材の切欠を跨いで前記底部材に固定されて、前記第１開口部が形成されていることを特徴とする請求項１又は２に記載の画像形成装置。
【請求項４】
前記第１開口部と前記ケーブルとを離間させた状態で保持する第１絶縁部材を備えたことを特徴とする請求項１乃至３のいずれか１項に記載の画像形成装置。
【請求項５】
前記筐体の上部に接続された導電性の天部材を備え、
前記接続部は、前記天部材に接続され、前記天部材を介して前記筐体に電気的に導通していることを特徴とする請求項１乃至４のいずれか１項に記載の画像形成装置。
【請求項６】
前記接続部は、前記ケーブルが前記天部材の上下方向に通過する第２開口部を形成することを特徴とする請求項５に記載の画像形成装置。
【請求項７】
前記接続部は、前記天部材とは別部材で形成され、
前記天部材には、前記ケーブルを通過させる切欠が形成されており、
前記接続部が前記天部材の切欠を跨いで前記天部材に固定されて、前記第２開口部が形成されていることを特徴とする請求項６に記載の画像形成装置。
【請求項８】
前記第２開口部と前記ケーブルとを離間させた状態で保持する第２絶縁部材を備えたことを特徴とする請求項６又は７に記載の画像形成装置。
【請求項９】
前記画像処理部が内部に配置され、前記筐体の側部に固定された導電性のボックスを備え、
前記接続部は、前記ボックスに接続され、前記ボックスを介して前記筐体に電気的に導通していることを特徴とする請求項１乃至８のいずれか１項に記載の画像形成装置。
【請求項１０】
前記接続部は、前記ケーブルが前記ボックスの上下方向に通過する第３開口部を形成することを特徴とする請求項９に記載の画像形成装置。
【請求項１１】
前記接続部は、前記ボックスとは別部材で形成され、
前記ボックスの側面には、前記接続部により塞がれる開口が形成され、前記ボックスの上面には、前記開口に連通し、前記ケーブルを通過させる切欠が形成されており、
前記接続部が前記ボックスの側面に固定されて、前記ボックスの上面に前記第３開口部が形成されていることを特徴とする請求項１０に記載の画像形成装置。
【請求項１２】
前記第３開口部と前記ケーブルとを離間させた状態で保持する第３絶縁部材を備えたことを特徴とする請求項１０又は１１に記載の画像形成装置。
【発明の詳細な説明】
【技術分野】
【０００１】
本発明は、画像形成ユニット上に、画像読取部を有する画像読取ユニットが配置されて構成された画像形成装置に関する。
【背景技術】
【０００２】
一般的な画像形成装置は、原稿に形成された画像を読み取る画像読取部を有する画像読取ユニットと、シートに画像を形成する画像形成部を有する画像形成ユニットとを備え、画像形成ユニット上に画像読取ユニットが配置されている。画像読取部は、原稿に対して露光走査することにより、画像情報を取り込む光電変換素子を有するプリント回路板（イメージセンサ基板）にて構成されている。
【０００３】
画像形成ユニットは、その筐体の背面側に配置され、画像処理を行う画像処理部を有している。この画像処理部は、ＣＰＵ等の半導体装置がプリント配線板上に実装されたプリント回路板（画像処理基板）にて構成されている。
【０００４】
画像読取部と画像処理部とは、ケーブルで接続されており、画像処理部は、ケーブルを介して画像読取部から画像信号を取得する。画像読取ユニット上には、原稿を原稿台に圧着させるための原稿圧着板が配置されており、原稿圧着板は、開閉機構により開閉自在となっている。
【０００５】
近年、この原稿圧着板は、画像読取ユニットに自動で原稿を供給する原稿送りユニットに組み込まれていることが多い。したがって、開閉機構は、重量物である原稿送りユニットを支えながら原稿送りユニットを開閉自在にする必要があるため、金属などの導電性部材で構成されている。
【０００６】
ここで、画像読取部と画像処理部と接続するケーブルには、画像信号（デジタル信号）が伝送されるので、画像信号が伝送される際に生じる、ケーブルからの放射ノイズを抑制しなければならない。
【０００７】
そこで、画像読取ユニットの導電性筐体の背面側下部の端部と、それに対向する画像形成ユニットの導電性筐体の背面側上部の端部とを、導電性の接続部材により接続し、接続部材の上にケーブルを配置している。この接続部材は、ケーブルを通過する信号電流に対するリターン電流の経路として機能する。ケーブルを接続部材に近接させることで、ケーブルからの放射ノイズを抑制している。
【０００８】
ところが、開閉機構は前述のように導電性部材で構成され、また可動部であるため、樹脂部材などの外装により全体に覆うことが難しく、導電性部材が露出することになる。したがって、画像読取ユニットの筐体には、開閉機構から静電気放電（Electrostatic  Discharge：ＥＳＤ）が侵入しやすい。
【０００９】
画像読取ユニットの筐体に侵入したＥＳＤによるノイズ電流は、接続部材を通過し、画像形成ユニットの筐体に伝搬する。その際、接続部材の近くに配置されたケーブルとの電磁結合によりノイズ電流がケーブルに伝搬し、ケーブルにより伝送される画像信号の劣化を引き起こす恐れがある。また、この画像信号は、近年、画像形成装置の画像読取及び画像形成の高速化と、画像の高精細化により、伝送レートが非常に高くなっており、ＥＳＤなどのノイズの影響を受けやすくなってきている。
【００１０】
これに対し、ケーブルをシールドすることにより、ＥＳＤなどのノイズの影響を受けにくくする方法が提案されている（特許文献１参照）。
【先行技術文献】
【特許文献】
【００１１】
【特許文献１】特開２０１１−１４６１５０号公報
【発明の概要】
【発明が解決しようとする課題】
【００１２】
しかし、特許文献１に記載のシールドケーブルはコストが高いという問題があった。
【００１３】
また、シールドケーブルを画像形成装置の画像読取部と画像処理部とを接続するケーブルに適用すると、新たな問題が生じていた。即ち、画像読取部は、原稿を読み取る際に原稿に対して機械的に走査する必要があるため、画像信号が伝送されるケーブルには、摺動屈曲性能が求められている。近年、画像読取部は薄くなってきており、画像読取部の走査に伴い移動するケーブルの移動可能領域も限られてきている。そのため、ケーブルには、より高い摺動屈曲性能が要求されている。しかしながら、シールドケーブルの場合、シールド層を有するため、充分な摺動屈曲性能が得られないという問題があった。
【００１４】
そこで、本発明は、ＥＳＤによる画像信号の劣化を簡単な構成で抑制することができる画像形成装置を提供することを目的とするものである。
【課題を解決するための手段】
【００１５】
本発明の画像形成装置は、導電性の底部材、前記底部材の上方に配置された原稿台、及び前記底部材と前記原稿台との間に配置され、前記原稿台上の原稿に対して走査して原稿画像を読み取る画像読取部を有する画像読取ユニットと、導電性の筐体、前記画像読取部にケーブルで接続され、前記画像読取部から前記ケーブルを介して画像信号を取得して画像処理する画像処理部、及び前記筐体の内部に配置され、前記画像処理部による画像処理結果に基づき、シートに画像を形成する画像形成部を有し、前記画像読取ユニットの下方に配置された画像形成ユニットと、前記原稿台に対して開閉される開閉部材と、前記底部材に固定され、前記開閉部材を開閉自在に支持する導電性の開閉機構と、前記底部材と前記筐体とを電気的に導通させる導電性の接続部と、を備え、前記ケーブルは、前記導電性の接続部と前記底部材により囲まれた第１開口部を上下方向に通過していることを特徴とする。
【発明の効果】
【００１６】
本発明によれば、画像読取ユニットの底部材に放電されたノイズ電流は、画像読取ユニットの底部材の縁を伝って接続部の外側の縁に伝搬し、画像形成ユニットの筐体に流れる。したがって、ケーブルが通過する、接続部の内側に形成された開口部の縁においては、接続部の外側の縁よりもノイズ電流が低減する。これにより、ケーブルとノイズ電流が流れる経路とを離間させることができるので、電磁結合によるケーブルへのノイズの誘起が抑制され、簡単な構造でケーブルを伝搬する画像信号の劣化を抑制することができる。
【図面の簡単な説明】
【００１７】
【図１】第１実施形態に係る画像形成装置の一例としての複写機の概略構成を示す説明図である。
【図２】第１実施形態に係る画像形成装置の一例としての複写機を背面側から見たときの複写機の斜視図である。
【図３】第１実施形態に係る複写機におけるＥＳＤ電流の経路を示す説明図である。
【図４】図３の複写機の要部におけるＥＳＤ電流の経路を示す説明図である。
【図５】第１実施例の複写機と比較例の複写機においてＥＳＤを印加したときに、経過時間に対しケーブルを介して画像処理基板に誘起される電圧の値を示すグラフである。
【図６】第２実施形態に係る画像形成装置の一例としての複写機の概略構成を示す説明図である。
【図７】第３実施形態に係る画像形成装置の一例としての複写機の要部の水平方向の断面図である。
【図８】比較例の複写機を背面側から見たときの複写機の斜視図である。
【発明を実施するための形態】
【００１８】
以下、本発明を実施するための形態を、図面を参照しながら詳細に説明する。
【００１９】
［第１実施形態］
図１は、第１実施形態に係る画像形成装置の一例としての複写機の概略構成を示す説明図である。図２は、第１実施形態に係る画像形成装置の一例としての複写機を背面側から見たときの複写機を示す斜視図であり、図２（ａ）は、複写機の全体を示す図、図２（ｂ）は、図２（ａ）に示す複写機の一部を拡大した図である。
【００２０】
図１に示すように、画像形成装置としての複写機２００は、画像形成ユニット２０１と、画像形成ユニット２０１の上方に配置された画像読取ユニット２０２とを備えている。また、複写機２００は、図２（ａ）に示すように、画像読取ユニット２０２の上方に配置された開閉部材としての原稿送りユニット２０３を備えている。また、複写機２００は、原稿送りユニット２０３を画像読取ユニット２０２に対して開閉自在に支持する複数（２つ）の開閉機構２０４を備えている。画像形成ユニット２０１は、画像読取ユニット２０２を支持しており、画像読取ユニット２０２は、開閉機構２０４を介して原稿送りユニット２０３を支持している。
【００２１】
画像形成ユニット２０１は、図２（ａ）に示すように、導電性（例えば金属製）の筐体２１０と、図１に示すように、シート（記録紙）に画像を形成する画像形成部２２０と、画像形成部２２０にシートを給送するシート給送部２３０と、を有している。また、画像形成ユニット２０１は、図１及び図２（ａ）に示すように、画像処理部としての画像処理基板２４０を有している。なお、筐体２１０は接地されているのが好ましい。
【００２２】
筐体２１０は、略直方体状に形成されている。画像形成ユニット２０１は、筐体２１０の上部から後方に向かって張り出すように筐体２１０の上部に固定された、水平方向に延びる平板状の導電性の天部材２１２を有している。筐体２１０の上面と天部材２１２の上面とは同一平面となっている。画像形成部２２０及びシート給送部２３０は、筐体２１０の内部に配置されている。
【００２３】
画像読取ユニット２０２は、導電性（例えば金属製）のケース２５１と、ケース２５１を支持する導電性（例えば金属製）の底部材２５２とを有する。これらケース２５１及び底部材２５２で、画像読取ユニットの筐体２５０が構成されている。底部材２５２は、水平方向に延びる平板状に形成されており、平面視で筐体２１０の上面及び天部材２１２の上面の外形と同一形状かつ同一面積に形成され、筐体２１０及び天部材２１２上に固定されている。
【００２４】
また、画像読取ユニット２０２は、ケース上面の開口部に配置され、ケース２５１に支持された原稿台としてのプラテンガラス２５５を有する。したがって、プラテンガラス２５５は、底部材２５２の上方に底部材２５２と間隔をあけて配置されていることになる。
【００２５】
また、画像読取ユニット２０２は、プラテンガラス２５５上（原稿台上）に配置された原稿に対して走査して原稿画像を読み取る画像読取部としてのイメージセンサ基板２５４を有する。イメージセンサ基板２５４は、底部材２５２とプラテンガラス２５５との間、即ちケース２５１の内部に配置されている。
【００２６】
イメージセンサ基板２５４は、矢印Ｘ方向に延びて形成された、ＣＣＤイメージセンサやＣＭＯＳイメージセンサ等の不図示のラインセンサ（光電変換素子）と、不図示の発光素子とを有する。イメージセンサ基板２５４は、不図示の移動機構により、矢印Ｘ方向に対して直交する矢印Ｙ方向に移動することで、プラテンガラス２５５上の原稿に対して矢印Ｙ方向に走査する。イメージセンサ基板２５４のグラウンドは、底部材２５２に対して非接地状態で配置している。
【００２７】
イメージセンサ基板２５４と画像処理基板２４０とは、フラットケーブル等のケーブル２６０で電気的に接続されている。イメージセンサ基板２５４は、取り込んだ画像情報に基づき、ケーブル２６０で信号伝送を行うための画像信号を生成する信号処理を実行する。信号処理により生成された画像信号は、ケーブル２６０を介して画像処理基板２４０に送信される。画像処理基板２４０は、取得した画像信号に基づいて、画像形成のための画像処理を実行する。そして、画像処理基板２４０は、画像処理結果に基づき、図１に示す画像形成部２２０のレーザスキャナ２２１等を制御して、感光体２２２上をスキャンさせ、潜像形成を行う。この潜像に応じて感光体２２２上に現像されたトナー像は、給紙搬送されたシート上に転写され、定着器２２３を通過することによりシート上に定着される。以上の画像形成部２２０の動作により、イメージセンサ基板２５４により読み取られた原稿画像がシート上に形成される。
【００２８】
原稿送りユニット２０３は、プラテンガラス２５５、即ちイメージセンサ基板２５４による画像読み取り可能な位置に原稿を送る自動原稿給送装置（ＡＤＦ）であり、閉位置でプラテンガラス２５５に対向する原稿圧着板２７１（図１）を有する。
【００２９】
なお、開閉部材が原稿送りユニット２０３としたが、開閉部材が原稿をプラテンガラス２５５に押し付ける原稿圧着板で構成される場合であってもよい。この場合、オプションとして原稿送りユニットを原稿圧着板の代わりに装着可能に構成されていてもよい。
【００３０】
２つの開閉機構２０４は、画像読取ユニット２０２の底部材２５２上、より具体的には、底部材２５２上の背面側の端部に間隔をあけて固定されている。開閉機構２０４は、重量物である原稿送りユニット２０３を開閉自在に支持するため、導電性部材、即ち金属で構成されている。したがって、開閉機構２０４は、底部材２５２に対して電気的に導通している。
【００３１】
原稿送りユニット２０３は、これら開閉機構２０４によりプラテンガラス２５５に対して開閉自在となるように支持されている。そして、原稿送りユニット２０３が開位置の場合には、プラテンガラス２５５が外部に露出され、プラテンガラス２５５上にユーザが原稿を載置したり、ユーザがプラテンガラス２５５上に載置されている原稿を取り除いたりすることができる。原稿送りユニット２０３が閉位置の場合には、プラテンガラス２５５上に給送された原稿をプラテンガラス２５５に押し付けると共に、イメージセンサ基板２５４からの光が外部に漏れるのを防いでいる。
【００３２】
ここで、画像処理基板２４０は、筐体２１０の外側に配置されており、筐体２１０の後方に配置された不図示のボックスにより囲われている。そして、画像処理基板２４０のグラウンドは、４隅を筐体２１０に接続することで、筐体２１０に接地されている。
【００３３】
複写機２００は、底部材２５２と筐体２１０とを電気的に導通させ、ケーブル２６０に沿って配置された導電性の接続部２８０を備えている。この導電性の接続部２８０は、ケーブル２６０に沿わせたことで、ケーブル２６０からの放射ノイズを抑制するためのリターン電流経路の働きをする。接続部２８０は、平板状に形成されている。接続部２８０は、底部材２５２及び天部材２１２に接続されており、天部材２１２を介して筐体２１０に電気的に導通している。
【００３４】
接続部２８０における内側には、図２（ｂ）に示すように、ケーブル２６０が底部材２５２の上下方向（矢印Ｚ方向）に通過する開口部２８１（第１開口部）が形成されている。また、接続部２８０における内側には、ケーブル２６０が天部材２１２の上下方向（矢印Ｚ方向）に通過する開口部２８２（第２開口部）が形成されている。これら開口部２８１，２８２は、底部材２５２の背面側の端部、天部材２１２の背面側の端部に形成されている。また、開口部２８１と開口部２８２とは互いに対向する位置に形成されている。
【００３５】
第１実施形態では、接続部２８０は、底部材２５２及び天部材２１２とは別部材で形成された板状の導電性の金属である。そして、底部材２５２には、ケーブル２６０が上下方向に通過する切欠２５３が形成されており、接続部２８０の上端部が切欠２５３を跨ぐように底部材２５２の端面にねじ等の締結具２８３で固定されている。これにより底部材２５２と接続部２８０との間に開口部２８１が形成されている。
【００３６】
また、天部材２１２には、ケーブル２６０が上下方向に通過する切欠２１３が形成されており、接続部２８０の下端部が切欠２１３を跨ぐように天部材２１２の端面にねじ等の締結具２８４で固定されている。これにより、天部材２１２と接続部２８０との間に開口部２８２が形成されている。
【００３７】
イメージセンサ基板２５４に接続されたケーブル２６０は、ケース２５１の背面に形成された開口を通じてケース２５１の外部に導出され、底部材２５２の上面に沿って後方に水平方向に延びる。そして、ケーブル２６０は、開口部２８１の近傍で水平状態から垂直に折れ曲がり、開口部２８１，２８２を上下方向（矢印Ｚ方向、即ち垂直方向）に通過し、画像処理基板２４０に接続される。
【００３８】
ここで、開口部を形成しなかった場合の比較例の複写機について説明する。図８は、比較例の複写機を示す斜視図である。図８に示す比較例の複写機２００Ｘにおいて、第１実施形態の複写機２００と同様の構成については、同一符号を付して説明を省略する。
【００３９】
複写機２００Ｘは、画像形成ユニット２０１Ｘと、画像読取ユニット２０２Ｘとを備えている。画像形成ユニット２０１Ｘは、平板状に形成された導電性の天部材２１２Ｘを有し、画像読取ユニット２０２Ｘは、平板状に形成された導電性の底部材２５２Ｘを有している。これら天部材２１２Ｘ及び底部材２５２Ｘには、第１実施形態のような切欠は形成されていない。天部材２１２Ｘと底部材２５２Ｘとを電気的に導通させる導電性の接続部２８０Ｘは、ケーブル２６０に沿うように配置されているが、ケーブル２６０は、接続部２８０Ｘの外側を通過するように配置されている。筐体２１０は、グラウンドプレーンＧ上に設置されている。
【００４０】
次に、第１実施形態における現象の理解を容易にするため、図８に示す比較例の複写機２００Ｘにおいて、ＥＳＤが画像読取ユニット２０２Ｘの右側の開閉機構２０４に印加された場合のＥＳＤによるノイズ電流の経路について説明する。なお、画像読取ユニット２０２Ｘの左側の開閉機構２０４にＥＳＤが印加された場合の電流経路は、右側の開閉機構２０４にＥＳＤが印加された場合と基本的な現象は同じになるので、説明は省く。図８において、ＥＳＤによるノイズ電流（ＥＳＤ電流）の経路を、破線矢印で示す。
【００４１】
画像読取ユニット２０２Ｘの右側の開閉機構２０４の点Ｐに印加されたＥＳＤは、開閉機構２０４が電気的に導通する底部材２５２Ｘに伝搬する。ここで、開閉機構２０４が底部材２５２Ｘの端部に配置されていることと、ＥＳＤ電流は高周波成分を含むため、導体内部ではなく導体の縁を伝搬する性質を持つ。よって、ＥＳＤ電流は、開閉機構２０４が配置された底部材２５２Ｘの背面側の縁を伝搬していく。そして、ＥＳＤ電流は、接続部２８０Ｘの外側の水平方向の縁と垂直方向の縁とに分岐する。
【００４２】
接続部２８０Ｘの水平方向の縁を流れるＥＳＤ電流は、そのまま、底部材２５２Ｘの背面側の縁を流れる。接続部２８０Ｘの垂直方向の縁に流れるＥＳＤ電流は、画像形成ユニット２０１Ｘの天部材２１２Ｘの背面側の縁と接続部２８０Ｘを流れる。そして、筐体２１０では、ＥＳＤ電流は主に垂直方向の角部を流れ、最終的に筐体２１０の最下部とグラウンドプレーンＧとの間の容量性結合を介して、変位電流として、グラウンドプレーンＧに流れる。ここで、ケーブル２６０が、ＥＳＤ電流が強く流れる接続部２８０Ｘを跨いだ位置に配置されていることから、ＥＳＤ電流がケーブル２６０に電磁結合し、ケーブル２６０にＥＳＤによるノイズ電流が誘起され、画像信号に影響を与える。
【００４３】
図３は、第１実施形態に係る複写機２００におけるＥＳＤ電流の経路を示す説明図である。図４は、図３の複写機２００の要部におけるＥＳＤ電流の経路を示す説明図である。図３及び図４において、ＥＳＤ電流の経路を、破線矢印で示す。
【００４４】
図３に示すように、右側の開閉機構２０４の点Ｐに印加されたＥＳＤ電流は、基本的には、図８に示す比較例の複写機２００Ｘと略同様の経路を流れる。
【００４５】
ここで、ＥＳＤ電流は、導体の縁を流れるという性質がある。したがって、図４のように、底部材２５２の縁を伝うＥＳＤ電流の大部分は、接続部２８０の外側の縁の方に流れ、切欠２５３の縁及び接続部２８０の内側の縁（即ち開口部２８１の縁）にはほとんど流れない。天部材２１２の切欠２１３においても同様な現象で、ＥＳＤ電流は、切欠２１３の縁及び接続部２８０の内側の縁（即ち開口部２８２の縁）にはほとんど流れない。
【００４６】
なお、ＥＳＤ電流は接続部２８０の垂直方向の縁にも強く流れるため、接続部２８０の垂直方向の縁のＥＳＤ電流とケーブル２６０との電磁結合を抑制するために、接続部２８０の水平方向の幅はケーブル２６０の幅よりも広い方がよい。
【００４７】
以上、第１実施形態によれば、ケーブル２６０が通過する、接続部２８０の内側に形成された開口部２８１，２８２の縁においては、接続部２８０の外側の縁よりもＥＳＤ電流が低減する。これにより、ケーブル２６０とＥＳＤ電流が流れる経路とを離間させることができるので、電磁結合によるケーブル２６０へのノイズの誘起が抑制され、簡単な構造でケーブル２６０を伝搬する画像信号の劣化を抑制することができる。
【００４８】
また、接続部２８０が、底部材２５２及び天部材２１２とは別部材で構成されているので、ねじ等の締結具２８３，２８４により取り外し可能となっている。したがって、組み立て時の基板２４０，２５４へのケーブル２６０の接続やメインテナンス時の基板２４０，２５４からのケーブル２６０の脱着を容易にできる。
【００４９】
また、ケーブル２６０が通過する開口部２８１，２８２を、切欠２５３，２１３により形成したので、底部材２５２及び天部材２１２の後方に張り出す部分が少なくなり、装置全体のコンパクト化が図られる。
【００５０】
なお、各開口部２８１，２８２は、底部材２５２及び天部材２１２とは別部材の接続部２８０と、底部材２５２及び天部材２１２の切欠２５３，２１３により形成される場合について説明したがこれに限定するものではない。
【００５１】
接続部２８０が底部材２５２と一体であれば、開口部２８１として、底部材２５２において接続部２８０に隣接する貫通孔を形成すればよい。そして、接続部２８０は、底部材２５２に対して折り曲げて形成すればよい。
【００５２】
同様に、接続部２８０が天部材２１２と一体であれば、開口部２８２として、天部材２１２において接続部２８０に隣接する貫通孔を形成すればよい。そして、接続部２８０は、天部材２１２に対して折り曲げて形成すればよい。
【００５３】
また、接続部２８０は、ねじ等の締結具２８３，２８４で底部材２５２及び天部材２１２に固定される場合について説明したが、固定方法はこれに限定するものではなく、電気的に導通していれば、どのような固定方法であってもよい。
【００５４】
また、底部材２５２に切欠２５３を形成せずに、接続部２８０の幅方向の中央部分が底部材２５２から離間するように接続部２８０を折り曲げて、底部材２５２と接続部２８０との間に第１開口部（空間）を形成してもよい。同様に、天部材２１２に切欠２１３を形成せずに、接続部２８０の幅方向の中央部分が天部材２１２から離間するように接続部２８０を折り曲げて、天部材２１２と接続部２８０との間に第２開口部（空間）を形成してもよい。
【００５５】
（実施例１）
上記作用効果を確認するために、第１実施形態の複写機２００及び比較例の複写機２００Ｘの形状に対して電磁界シミュレーション計算を行った結果について説明する。
【００５６】
天部材２１２の背面側の端部は、底部材２５２の背面側の端部に対して、５ｍｍ下方で対向しており、底部材２５２の背面側の端部に揃えられている。ケーブル２６０はフラットケーブルとし、切欠２５３，２１３の縁や接続部２８０とは接触しておらず、切欠２５３，２１３は、いずれも複写機横方向に６０ｍｍ、奥行き方向に２３ｍｍの長さとした。ケーブル２６０と切欠２５３，２１３の奥行き方向の間隙はいずれも１１ｍｍとし、また、ケーブル２６０と接続部２８０の奥行き方向の間隙は１１ｍｍとした。
【００５７】
ケーブル２６０は、導体線を３本とし、真ん中の１本を信号線とし、信号線両隣をグラウンド線とした。信号線はイメージセンサ基板２５４上でドライバＩＣを想定した１０Ωの抵抗で終端させ、画像処理基板２４０上でレシーバＩＣを想定した１ＭΩの抵抗で終端させた。グラウンド線はそれぞれの基板のグラウンドに接続した。画像形成ユニット２０１の最下部は、グラウンドプレーンＧから高さ８０ｍｍの位置に配置した。
【００５８】
ここでＥＳＤの初期帯電値を１０ＫＶとし、右側の開閉機構２０４の点ＰにＥＳＤを印加した場合の画像処理基板２４０側の終端抵抗１ＭΩの電圧計算結果を、図５に示す。図５に示すグラフにおいて、横軸を経過時間、縦軸を電圧値とした。比較のために、比較例の複写機２００Ｘにおける計算結果も併記した。ここで、比較例の接続部２８０Ｘとケーブル２６０の距離も１１ｍｍに設定した。計算結果から、本実施例１の複写機２００の方が、比較例の複写機２００Ｘよりも、ＥＳＤによる誘起電圧の包絡線のピークを抑制できていることがわかる。
【００５９】
［第２実施形態］
次に、本発明の第２実施形態に係る画像形成装置について説明する。図６は、第２実施形態に係る画像形成装置の一例としての複写機の概略構成を示す説明図である。なお、図６では、第２実施形態に係る画像形成装置の一例としての複写機を背面側から見たときの複写機を示す斜視図である。なお、第２実施形態において、前記第１実施形態と同様の構成については、同一符号を付して説明を省略する。
【００６０】
複写機２００Ａは、画像形成ユニット２０１Ａと、前記第１実施形態と同様の構成の画像読取ユニット２０２、原稿送りユニット２０３、及び複数（例えば２つ）の開閉機構２０４とを備えている。
【００６１】
画像形成ユニット２０１Ａは、前記第１実施形態と同様、筐体２１０、画像形成部２２０（図１参照）、シート給送部２３０（図１参照）、及び画像処理部としての画像処理基板２４０を有している。画像読取ユニット２０２のイメージセンサ基板２５４と画像処理基板２４０とは、ケーブル２６０で電気的に接続されている。
【００６２】
第２実施形態では、複写機２００Ａは、画像処理基板２４０が内部に配置され、筐体２１０の側部（具体的には背面側の側部）に固定された導電性のボックス２９０を備えている。また、複写機２００Ａは、ボックス２９０に接続され、ボックス２９０を介して筐体２１０に電気的に導通している接続部２８０Ａを備えている。
【００６３】
接続部２８０Ａは、ケーブル２６０に沿って配置され、底部材２５２に接続されている。これにより、接続部２８０Ａは、底部材２５２と筐体２１０とを電気的に導通させている。この導電性の接続部２８０Ａは、ケーブル２６０に沿わせたことで、ケーブル２６０からの放射ノイズを抑制するためのリターン電流経路の働きをする。接続部２８０Ａは、ケーブル２６０がボックス２９０の上下方向（矢印Ｚ方向）に通過する第３開口部としての開口部２９１を形成する。
【００６４】
接続部２８０Ａは、ボックス２９０とは別部材で平板状に形成されている。ボックス２９０の側面（具体的には複写機背面方向の面）２９５には、接続部２８０Ａにより塞がれる開口２９６が形成されている。即ち、接続部２８０Ａは、ボックス２９０のカバーも兼ねており、底部材２５２の切欠２５３から下方にボックス２９０の下端部まで開口２９６を覆うように延びている。また、ボックス２９０の上面２９７には、開口２９６に連通し、ケーブル２６０を通過させる切欠２９３が形成されている。
【００６５】
接続部２８０Ａの上端部が切欠２５３を跨ぐように底部材２５２の端面にねじ等の締結具２８３で固定されている。これにより底部材２５２と接続部２８０との間に開口部２８１が形成されている。
【００６６】
また、接続部２８０Ａの中間部が切欠２９３を跨ぐと共に、接続部２８０Ａの中間部から下端部にわたる部分でボックス２９０の開口２９６を塞ぐように、ボックス２９０の側面２９５にねじ等の締結具２８５で固定されている。これにより、ボックス２９０の上面２９７に開口部２９１が形成されている。
【００６７】
以上、第２実施形態では、ケーブル２６０が通過する、接続部２８０Ａの内側に形成された開口部２８１，２９１の縁においては、接続部２８０Ａの外側の縁よりもＥＳＤ電流が低減する。これにより、ケーブル２６０とＥＳＤ電流が流れる経路とを離間させることができるので、電磁結合によるケーブル２６０へのノイズの誘起が抑制され、簡単な構造でケーブル２６０を伝搬する画像信号の劣化を抑制することができる。
【００６８】
また、接続部２８０Ａが、底部材２５２及びボックス２９０とは別部材で構成されているので、ねじ等の締結具２８３，２８５により取り外し可能となっている。したがって、組み立て時の基板２４０，２５４へのケーブル２６０の接続やメインテナンス時の基板２４０，２５４からのケーブル２６０の脱着を容易にできる。
【００６９】
また、ケーブル２６０が通過する開口部２８１，２９１を、切欠２５３，２９３により形成したので、底部材２５２及びボックス２９０の後方に張り出す部分が少なくなり、装置全体のコンパクト化が図られる。
【００７０】
更に、接続部２８０Ａが、ボックス２９０のカバーも兼ねているので、部材や型の削減によるコストダウンや、組み立て性を向上することができる。
【００７１】
なお、各開口部２８１，２９１は、底部材２５２及びボックス２９０とは別部材の接続部２８０Ａと、底部材２５２及びボックス２９０の切欠２５３，２９３により形成される場合について説明したがこれに限定するものではない。
【００７２】
接続部２８０Ａが底部材２５２と一体であれば、開口部２８１として、底部材２５２において接続部２８０Ａに隣接する貫通孔を形成すればよい。そして、接続部２８０Ａは、底部材２５２に対して折り曲げて形成すればよい。
【００７３】
同様に、接続部２８０Ａがボックス２９０と一体であれば、開口部２９１として、ボックス２９０において接続部２８０Ａに隣接する貫通孔を形成すればよい。そして、接続部２８０Ａは、ボックス２９０に対して折り曲げて形成すればよい。
【００７４】
また、接続部２８０Ａは、ねじ等の締結具２８３，２８５で底部材２５２及びボックス２９０に固定される場合について説明したが、固定方法はこれに限定するものではなく、電気的に導通していれば、どのような固定方法であってもよい。
【００７５】
また、底部材２５２に切欠２５３を形成せずに、接続部２８０Ａの幅方向の中央部分が底部材２５２から離間するように接続部２８０Ａを折り曲げて、底部材２５２と接続部２８０Ａとの間に第１開口部（空間）を形成してもよい。同様に、ボックス２９０に切欠２９３を形成せずに、接続部２８０Ａの幅方向の中央部分がボックス２９０から離間するように接続部２８０Ａを折り曲げて、ボックス２９０と接続部２８０Ａとの間に第３開口部（空間）を形成してもよい。
【００７６】
［第３実施形態］
次に、本発明の第３実施形態に係る画像形成装置について説明する。図７は、第３実施形態に係る画像形成装置の一例としての複写機の要部の水平方向の断面図である。図７（ａ）は、底部材の切欠近傍の断面図、図７（ｂ）は、天部の切欠近傍の断面図、図７（ｃ）は、ボックスの切欠近傍の断面図である。なお、第３実施形態において、上記第１及び第２実施形態と同様の構成については、同一符号を付して説明を省略する。
【００７７】
図７（ａ）に示すように、複写機は、第１開口部である開口部２８１とケーブル２６０とを離間させた状態で保持する第１絶縁部材としての絶縁部材３０１を備えている。絶縁部材３０１は、例えば樹脂等の電気絶縁体で構成されている。
【００７８】
図７（ｂ）に示すように、複写機は、第２開口部である開口部２８２とケーブル２６０とを離間させた状態で保持する第２絶縁部材としての絶縁部材３０２を備えている。絶縁部材３０２は、例えば樹脂等の電気絶縁体で構成されている。
【００７９】
図７（ｃ）に示すように、複写機は、第３開口部である開口部２９１とケーブル２６０とを離間させた状態で保持する第３絶縁部材としての絶縁部材３０３を備えている。絶縁部材３０３は、例えば樹脂等の電気絶縁体で構成されている。
【００８０】
以上の構成により、組み立て時にケーブル２６０の位置がばらついても、ケーブル２６０は、絶縁部材３０１，３０２，３０３により開口部２８１，２８２，２９１に接触するのが回避される。これにより、より効果的に、ケーブル２６０を伝搬する画像信号の劣化を抑制することができる。
【００８１】
なお、本発明は、以上説明した実施形態に限定されるものではなく、多くの変形が本発明の技術的思想内で当分野において通常の知識を有する者により可能である。
【００８２】
第２実施形態では、筐体２１０に天部材２１２が接続されていない場合について説明したが、第２実施形態において筐体２１０に天部材２１２が接続されている場合についても本発明は適用可能である。この場合、接続部に隣接して第２開口部が形成されていればよい。
【００８３】
また、第１〜第３実施形態では、画像形成装置が、複写機である場合について説明したが、これに限定するものではなく、例えばファクシミリや、複写機及びファクシミリの複合機等であっても本発明は適用可能である。
【符号の説明】
【００８４】
２００…複写機（画像形成装置）、２０１…画像形成ユニット、２０２…画像読取ユニット、２０３…原稿送りユニット、２０４…開閉機構、２１０…筐体、２１２…天部材、２１３…切欠、２２０…画像形成部、２４０…画像処理基板（画像処理部）、２５２…底部材、２５３…切欠、２５４…イメージセンサ基板（画像読取部）、２５５…プラテンガラス（原稿台）、２６０…ケーブル、２８０…接続部、２８１…開口部（第１開口部）、２８２…開口部（第２開口部）
【図１】
2015036235.tif 000003
【図２】
2015036235.tif 000004
【図３】
2015036235.tif 000005
【図４】
2015036235.tif 000006
【図５】
2015036235.tif 000007
【図６】
2015036235.tif 000008
【図７】
2015036235.tif 000009
【図８】
2015036235.tif 000010